(57)【要約】【課題】ミニサイズとするに適した携帯用ティシュとする。【解決手段】ミニサイズの携帯用ティシュ１について、収容袋１０を形成するシート１０は、ポリエチレンを主原料とし、かつ梨地加工が施されて、ソフトネスが３．００〜１０．００ｃＮ、ＭＭＤが４．００〜８．００とされたものを使用する。また、ティシュペーパー２１の積層体１０の一方表面上において、シート１０の一端部１１と他端部１２とが重ねられ、この両端部の一部１５同士が相互に接合されており、この接合を解くと両端部間からティシュペーパー２１を取出可能とされた構造とする。【選択図】図２
2008253283.tif 000002
【特許請求の範囲】
【請求項１】
ティシュペーパーの積層体と、絵柄を有するシートで形成された前記ティシュペーパーを取出可能な前記積層体の収容袋と、で構成され、
縦５０〜６５ｍｍ、横８０〜９５ｍｍ、厚さ８〜２０ｍｍの大きさとされた携帯用ティシュであって、
前記シートは、ポリエチレンを主原料とし、かつ梨地加工が施されて、ソフトネスが３．００〜１０．００ｃＮ、ＭＭＤが４．００〜８．００とされており、
前記積層体の一方表面上において、前記シートの一端部と他端部とが重ねられ、この両端部の少なくとも一部同士が相互に接合されており、この接合を解くと前記両端部間から前記ティシュペーパーを取出可能とされている、ことを特徴とする携帯用ティシュ。
【請求項２】
前記シートの一端部及び他端部の当接面のＭＭＤが、それぞれ４．００〜８．００とされている、請求項１記載の携帯用ティシュ。
【発明の詳細な説明】
【技術分野】
【０００１】
本発明は、携帯用ティシュに関するものである。特に、子供用とするに好適な携帯用ティシュに関するものである。
【背景技術】
【０００２】
現在、ティッシュペーパーは、使用者の便宜に適するように、種々の形態で市場に提供されている。最も多いのは、ボックス型ティシュとポケット型ティシュ（携帯用ティシュ）である。前者のボックス型ティシュは、上面に取出口を有する紙製の収容箱内に、通常は２００組（４００枚）のティッシュペーパーを折り重ねた状態で収容したものである。後者の携帯用ティシュは、ポリプロピレン（ＰＰ）製のシートで形成された収容袋内に８〜２０組（１６〜４０枚）程度のティッシュペーパーを折り重ねた状態で収容したものである。
この携帯用ティシュは、統一規格がないため、若干の差があるが、一般には、縦７５×横１０５ｍｍ程度のレギュラーサイズ、縦５５×横１０５ｍｍ程度のスリムサイズ、縦５５×横８５ｍｍ程度のミニサイズに分類される。これらのサイズのうち、レギュラーサイズの携帯用ティシュは、最も一般的な寸法であり、市販されているものや、無料で配られているものの多くは、このレギュラーサイズである。また、スリムサイズの携帯用ティシュは、名刺の寸法に合せてレギュラーサイズを細く畳んだものであるが、ほとんど市販されておらず、名刺を入れて無料で配られるのが、一般的である。
一方、ミニサイズの携帯用ティシュは、子供の手のひらや、ポケット等に納まるよう小さくしたものであり、収納袋にアニメのキャラクター等の絵柄が印刷等されたものが、商品化されている。しかしながら、このミニサイズの携帯ティシュには、レギュラーサイズやスリムサイズの携帯用ティシュにはない特有の問題がある。
すなわち、ミニサイズの携帯用ティシュは、通常、子供が携帯するものであり、子供の激しい動き等によって、ポリプロピレン製のシートで形成された収容袋が、ポケット内で擦れ、あるいはぐちゃぐちゃに折れ曲がることがある。そして、ポリプロピレン製シートは、擦れると透明度が下がり、また、折れ曲がると光を乱反射するようになるため、せっかく印刷等をした絵柄が見づらくなってしまう。しかも、ポリプロピレン製のシートは、材質が硬いため、これが折り畳まれる等して形成された収容袋の角が肌に当たると、痛みとなり、あるいは肌に傷がつく可能性がある。この点、レギュラーサイズを想定する携帯用ティシュ（縦８５×横１２５ｍｍ）としては、角が手に当たると痛いとの問題の解決を図ったものがある。この携帯用ティシュは、収納袋が「メタロセン触媒を使用して製造した直鎖状低密度ポリエチレン（ＬＬＤＰＥ）」製のシート（基材）で形成されている（例えば、特許文献１参照）。
しかしながら、このレギュラーサイズの携帯用ティシュの技術を利用したとしても、絵柄が見づらくなるとの問題は、解決しない。したがって、ミニサイズの携帯用ティシュとして適したものとはならない。
【特許文献１】特開２００４−８１７０４号公報
【発明の開示】
【発明が解決しようとする課題】
【０００３】
本発明が解決しようとする主たる課題は、ミニサイズとするに適した携帯用ティシュを提供することにある。
【課題を解決するための手段】
【０００４】
この課題を解決するための本発明は、次のとおりである。
〔請求項１記載の発明〕
ティシュペーパーの積層体と、絵柄を有するシートで形成された前記ティシュペーパーを取出可能な前記積層体の収容袋と、で構成され、
縦５０〜６５ｍｍ、横８０〜９５ｍｍ、厚さ８〜２０ｍｍの大きさとされた携帯用ティシュであって、
前記シートは、ポリエチレンを主原料とし、かつ梨地加工が施されて、ソフトネスが３．００〜１０．００ｃＮ、ＭＭＤが４．００〜８．００とされており、
前記積層体の一方表面上において、前記シートの一端部と他端部とが重ねられ、この両端部の少なくとも一部同士が相互に接合されており、この接合を解くと前記両端部間から前記ティシュペーパーを取出可能とされている、ことを特徴とする携帯用ティシュ。
【０００５】
〔請求項２記載の発明〕
前記シートの一端部及び他端部の当接面のＭＭＤが、それぞれ４．００〜８．００とされている、請求項１記載の携帯用ティシュ。
【発明の効果】
【０００６】
本発明によると、ミニサイズとするに適した携帯用ティシュとなる。
【発明を実施するための最良の形態】
【０００７】
次に、本発明の実施の形態を説明する。
図１に本形態の携帯用ティシュ１の表側の斜視図を、図２に本形態の携帯用ティシュ１の裏側の斜視図を、図３に本形態の携帯用ティシュ１の平面図を、図４に図２のＩ−Ｉ線断面図を、図５に図２のＩＩ−ＩＩ線断面図を、それぞれ示した。
【０００８】
本形態の携帯用ティシュ１は、ティシュペーパー２１の積層体２０と、この積層体２０の収容袋１０と、で主に構成されている。そして、本形態の携帯用ティシュ１は、縦Ｙ（図３参照）が５０〜６５ｍｍ、横（幅）Ｘ（図３参照）が８０〜９５ｍｍ、厚さ（深さ）Ｚ（図４参照）が８〜２０ｍｍの、いわゆるミニサイズとされている。
【０００９】
本携帯用ティシュ１を構成する収納袋１０は、図１に示すように、アニメのキャラクター等の絵柄Ｅを有するシート（以下、このシート自体も符号１０で示す。）で形成されている。このシート１０の絵柄Ｅの内容や、絵柄Ｅがどのようにして施されたかは、特に限定されず、例えば、アニメの主人公や草花等の絵柄Ｅを印刷等によって施すことが考えられる。
【００１０】
ただし、本形態のシート１０は、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、超低密度ポリエチレン（ＶＬＤＰＥ）、酢酸ビニルやアクリル酸エステル、ブテン、ヘキセン、４−メチル−１−ペンテン等のα−オレフィン類を共重合したポリエチレン等のポリエチレン、好ましくは低密度ポリエチレンを主原料（主原料とは、８０質量％以上であることを意味するものとする。）とし、かつ梨地加工が施されて、ソフトネスが３．００〜１０．００ｃＮ、好ましくは５．００〜７．００ｃＮ、ＭＭＤが４．００〜８．００、好ましくは５．００〜７．００とされている。シート１０がポリプロピレンではなくポリエチレンを主原料とすると、柔軟性が増すため、角が当たると痛いとの問題が解決される。
【００１１】
シート１０の主原料を低密度ポリエチレン又は直鎖状低密度ポリエチレンとする場合において、その密度は、０．９４０ｇ／ｃｍ3以下が好ましく、０．９３０ｇ／ｃｍ3以下がより好ましく、０．９２０ｇ／ｃｍ3以下が特に好ましい。
【００１２】
もっとも、シート１０をポリエチレン製とするのみでは、かかる問題の解決に十分とはいえない。また、擦れや折れ曲り等によって絵柄Ｅが見づらくなるとの問題は、解決されない。そこで、本形態では、更に梨地加工を施して、ソフトネスを３．００〜１０．００ｃＮ、好ましくは５．００〜７．００ｃＮ、ＭＭＤを４．００〜８．００、好ましくは５．００〜７．００としている。このような梨地加工によって、よりいっそうシート１０の柔軟性が増すため、肌に角が当たると痛いとの問題が完全に解決される。また、当初から透明度が低下しており、これに合わせて絵柄Ｅが施されることになるため、擦れによって透明度が低下しもって絵柄Ｅが見づらくなるとの問題が解決される。また、ポリエチレン製のシート１０に梨地加工を施すと、復元性が増すため、折れ曲った跡が残らず、したがって、折れ曲がりによって光が乱反射するようになりもって絵柄Ｅが見づらくなるとの問題が解決される。
【００１３】
より具体的には、ソフトネスが３．００ｃＮ未満であると、シート１０のコシが極端に不足するため、シート１０を収容袋とするときに絵柄Ｅにしわが入る等し、特に、絵柄Ｅが大きな価値を有する本携帯用ティシュ１においては、大きな問題となる。他方、ソフトネスが１０．００ｃＮを超えると、柔軟性が損なわれるため、肌に角が当ると痛いとの問題が生じる。一方、ＭＭＤが４．００未満であると、張力がかかったときに破断しやすくなるため、子供の激しい動きに対応できないとの問題が生じる。他方、ＭＭＤが８．００を超えると、適度な復元性を得るための十分な凹凸が備わっていないとの問題が生じる。
【００１４】
なお、ソフトネスは、ＪＩＳ  Ｌ  １０９６Ｅのハンドルオメーター法（サンプル（１００×１００ｍｍ）を一定の隙間（５ｍｍ）に押し入れるのに必要な仕事量を測定する方法）によって測定した値（縦方向及び横方向の平均測定値）である。この値は、例えば、熊谷理機工業株式会社製のソフトネス試験機（３３０−ｓ）を用いて測定することができる。
【００１５】
また、ＭＭＤは、次の方法によって測定した値である。
すなわち、まず、摩擦子を用意する。この摩擦子は、直径０．５ｍｍのピアノ線を１０本隣接させてなり、長さ及び幅がともに５ｍｍとなるように形成されたサンプルに対する接触面を有する。この接触面には、先端が１０本のピアノ線（曲率半径０．２５ｍｍ）で形成された単位膨出部が形成されている。次に、摩擦子の接触面を、所定方向に２０ｇ／ｃｍの張力を付与したサンプルの表面に対して５０ｇの接触圧で接触させながら、張力を付与した方向（所定方向）とほぼ同じ方向に速度０．１ｃｍ／ｓで２ｃｍ移動させる。
このときの、摩擦係数を、カトーテック株式会社製の摩擦感テスタ（ＫＥＳ−ＳＥ）を用いて測定し、その摩擦係数を摩擦距離（移動距離＝２ｃｍ）で除した値をＭＭＤとする。この測定方法については、例えば、特開２００５−１７１３９８号公報等も参考にすることができる。
【００１６】
ここで、シート１０に対する梨地加工の方法は、特に限定されない。従来から公知の方法、例えば、シート１０の成形時にエンボスロールやマットロールにシート１０の表面を押し当てて凹凸を与える方法や、サンドブラスト法で凹凸を与える方法等を採用することができる。また、これらのように表面加工を施すことなく、例えば、ポリマーブレンドを利用する方法（例えば、特開平７−１３２９６１号公報参照。）や、ポリオレフィン系樹脂ブレンドの積層体を２軸延伸する方法（例えば、特開平１０−８６２９９号公報参照。）等を採用することもできる。
【００１７】
なお、シート１０自体は、例えば、Ｔダイ法、空冷式インフレーション法、水冷式インフレーション法等の公知の方法によって、成形することができる。また、シート１０を積層構造とする場合において、積層の方法は、特に限定されず、例えば、ドライラミネート法やウェットラミネート法、溶融押出ラミネート法、溶融共押出法等の公知の方法で積層することができる。
【００１８】
本形態において、シート１０は、ポリエチレンを主原料とするが、他の原料は、特に限定されない。例えば、耐ブロッキング性を向上させたり、手触り感を変えたりするために、シリカ、タルク、炭酸カルシウム、ケイソウ土等の無機顔料を添加することや、ポリメチルメタクリレート等の有機顔料を添加することもできる。また、フェニレンジアミン、ヒンダードフェノール等の酸化防止剤、グリセリンモノエステル、エトキシル化アミン等の帯電防止剤、ベンゾトリアゾール等の紫外線吸収剤、等の添加剤を添加することもできる。
【００１９】
本形態において、梨地加工が施されたシート１０の表面ヘイズは、５０〜１００％が好ましい。表面ヘイズが５０％未満であるということは、透明度が必要十分に低下していない状態で絵柄Ｅが施されることであるため、擦れによって透明度が低下しもって絵柄Ｅが見づらくなるとの問題が十分に解決されないおそれがある。また、表面ヘイズが５０％未満であると、表面の適度な凹凸が不足するため、耐ブロッキング性に劣り、手触り感に劣る場合がある。なお、表面ヘイズは、全ヘイズから内部ヘイズを差し引いた値であり、ＪＩＳ Ｋ  ７１３６に基づいて測定した値である。
【００２０】
本形態において、梨地加工が施されたシート１０の引張弾性率は、通常１０〜２００ＭＰａ、好ましくは２０〜２００ＭＰａである。引張弾性率が２００ＭＰａを超えると、剛性が高くなるため、肌に角が当たると痛いとの問題が完全に解決されなくなるおそれがある。他方、引張弾性率が１０ＭＰａ未満であると、シート１０にこしがなくなるため、積層体２０の形状保持性に劣る。なお、引張弾性率は、ＪＩＳ  Ｋ  ７１１３に基づいて測定した値である。
【００２１】
本形態において、梨地加工が施されたシート１０の坪量は、通常９〜９２ｇ／ｍ2、好ましくは１３〜８３ｇ／ｍ2、より好ましくは１８〜７４ｇ／ｍ2である。坪量が９ｇ／ｍ2未満であると、こしがなくなるため、積層体２０の形状保持性に劣る。他方、坪量が９２ｇ／ｍ2を超えると、剛性が高くなるため、肌に角が当たると痛いとの問題が完全に解決されなくなるおそれがある。なお、坪量は、ＪＩＳ  Ｐ  ８１２４：１９９８に基づいて測定した値である。
【００２２】
本形態において、梨地加工が施されたシート１０の厚さは、通常１０〜１００μｍ、好ましくは１５〜９０μｍ、より好ましくは２０〜８０μｍである。厚さが１０μｍ未満であると、こしがなくなるため、積層体２０の形状保持性に劣る。他方、厚さが１００μｍを超えると、剛性が高くなるため、肌に角が当たると痛いとの問題が完全に解決されなくなるおそれがある。なお、厚さは、尾崎製作所製のピーコックによって測定した値である。
【００２３】
本形態において、梨地加工が施されたシート１０は、１層構造に限定されるものではなく、例えば、２層、３層又はそれ以上の複数層構造とすることもできる。複数層構造とする場合においては、各層の厚さや前述した引張弾性率は、シート１０のカール防止という観点から、各層ごとに変えることもできる。例えば、梨地加工が施されたシート１０を表面層／中間層／表面層の３層構造とする場合において、各層の厚さ比は、通常５／９０／５〜４５／１０／４５、好ましくは１０／８０／１０〜４０／２０／４０である。ただし、複数層構造とする場合において、カール防止という観点からは、各層が同種類の原料から形成されているのが好ましい。
【００２４】
本形態において、梨地加工が施されたシート１０は、絵柄Ｅが印刷によって施される場合においては、印刷適性を良好にするために、コロナ処理、プラズマ処理、火炎処理等の処理を行っておくのが好ましい。この場合、シート１０表面のぬれ指数は、通常３０〜５０ｄｙｎｅ／ｃｍになるように調節する。なお、ぬれ指数は、ＪＩＳ  Ｋ  ６７６８に基づいて測定される値である。
【００２５】
以上のほか、梨地加工が施されたシート１０を形成することに関しては、例えば、特開平９−３０９１８７号公報や、特開平１０−２１１６７６号公報、特開平１１−３２０７８０号公報、特開２００２−３３７２８２号公報等を参考にすることができる。
【００２６】
以上のようにして得た梨地加工が施されたシート１０は、絵柄Ｅを施す等した後、適宜加工して、ティシュペーパー２１を取出可能な積層体２０の収容袋１０とする。ここで、ティシュペーパー２１を取出可能とする構造は、シート１０が従来のポリプロピレン製の場合であれば、収容袋１０の表面１０ａ又は裏面１０ｂに、幅方向に延びるミシン目を形成した構造が、一般的であった。この構造においては、ミシン目を裂開することによって開口（取出口）が形成され、この取出口からティシュペーパー２１を取り出すことができる。しかしながら、本形態のシート１０はポリエチレン製で、しかも梨地加工が施されているため、柔軟性や引張弾性率が高く、ミシン目を裂開しづらいとの特徴を有する。したがって、特に使用するのが子供である場合においては、ミシン目を裂開できない、あるいは裂開するのと同時にティシュペーパー２１も破いてしまうおそれがある。
【００２７】
そこで、本形態の携帯用ティシュ１は、図６に示すように、シート１０の一方側の領域１０Ｘ及び他方側の領域１０Ｙを折り返して、図３に示すように、シート１０の一端部１１及び他端部１２が重なるようにする。そして、この折り返しと同時に、又はこの折り返し後に、シート１０の表面１０ａとシート１０の一方側の領域１０Ｘ及び他方側の領域１０Ｙで構成される裏面１０ｂとの間に積層体１０を収容し、シート１０の両側縁部１３を、接合して封止する。この接合（封止）は、例えば、コールドグルー、ホットメルト、ヒートシール、インパルスシール、高周波シール、超音波シール等の接着剤による接着等によることができる。また、この接合と同時に、又はこの接合後に、シート１０の一端部１１及び他端部１２の少なくとも一部同士も、図示例では一部１５も、相互に接合する。この接合も、例えば、側縁部１３の接合と同様の方法で、行うことができる。
【００２８】
この形態では、例えば、シート１０の一端部１１と他端部１２とを引き離して一部１５の接合を解くことで、シート１０の一端部１１と他端部１２との間からティシュペーパー２１を取り出すことができる。また、この形態では、前述したミシン目を裂開して取出口を形成する形態と異なり、収容袋１０内に砂等の異物が混入するおそれが著しく少なくなる。特に、子供の場合は、ポケット内に砂等が入り込みやすく、したがって、収容袋１０内にも砂等が入り込みやすいため、本形態の収容袋１０は、子供用として好ましいものとなる。
【００２９】
ここで、シート１０の一端部１１と他端部１２との重なる長さＹ１（図３参照）は、通常５〜２０ｍｍ、好ましくは１０〜１５ｍｍである。５ｍｍ未満であると、砂等の異物の混入を十分に防止することができなくなる。他方、２０ｍｍを超えると、ティシュペーパー２１を取り出しにくくなり、特に子供用とするには好ましくないものとなる。ただし、シートの一端部１１及び他端部１２の当接面のＭＭＤは、それぞれ好ましくは４．００〜８．００、より好ましくは５．００〜７．００である。ＭＭＤが４．００未満であると、上側において重なる端部が、図示例では一端部１１が、下側において重なる端部から、図示例では他端部１２からずれやすくなり、砂等の異物が混入しやすくなる。他方、ＭＭＤが８．００を超えると、収容袋１０がポリエチレン製であり、柔軟性が高い本形態においては、上側において重なる端部を、図示例では一端部１１を、下側において重なる端部から、図示例では他端部１２からずらしにくくなり、ティシュペーパー２１を取り出しづらくなる。なお、このＭＭＤの測定方法は、前述したシート１０表面のＭＭＤの測定方法と同様である。
【００３０】
また、側縁部１３の幅Ｘ１（図３参照）は、通常２〜１０ｍｍ、好ましくは３〜５ｍｍである。２ｍｍ未満であると、子供の激しい動きによって、接合が解けてしまうおそれがある。他方、１０ｍｍで十分な接合が確保できるため、１０ｍｍを超えても、原料の無駄となり、また、不必要に本携帯用ティシュ１が大きくなるだけである。
【００３１】
（その他）
本形態において、ティシュペーパー２１の積層体２０とは、単にティシュペーパー２１を積層したものであることを意味し、積層の方法や各ティシュペーパー２１の形態等は、特に限定されない。したがって、公知の形態と同様とすることができる。一例を挙げると、図７に示すように、１枚のティシュペーパー２１を一方側で谷折りし（この谷折りによって形成される折り線を符号２１ａで示す）、また、他方側で山折り（この山折りによって形成される折り線を符号２１ｃで示す）する。同様に、折り線２１ａの側方で山折りし（この山折りによって形成される折り線を符号２１ｂで示す）、折り線２１ｃの側方で谷折り（この谷折りによって形成される折り線を符号２１ｄで示す）する。さらに、ティシュペーパー２１は、各折り線２１ａ〜２１ｄを横切るように、折り畳む（この折り畳みにより形成される折り線を符号２１ｅで示す）。そして、このように折り畳んだティシュペーパー２１を上下に積層して積層体２０とする。
【産業上の利用可能性】
【００３２】
本発明は、子供用の携帯用ティシュとして適用することができる。
【図面の簡単な説明】
【００３３】
【図１】携帯用ティシュの表側の斜視図である。
【図２】携帯用ティシュの裏側の斜視図である。
【図３】携帯用ティシュの平面図である。
【図４】図２のＩ−Ｉ線断面図である。
【図５】図２のＩＩ−ＩＩ線断面図である。
【図６】収容袋の製造過程を説明するための図である。
【図７】ティシュペーパー及び積層体の形態例である。
【符号の説明】
【００３４】
１…携帯用ティシュ、１０…収容袋（シート）、１３…側縁部、２０…積層体、２１…ティシュペーパー、Ｅ…絵柄。
【図１】
2008253283.tif 000003
【図２】
2008253283.tif 000004
【図３】
2008253283.tif 000005
【図４】
2008253283.tif 000006
【図５】
2008253283.tif 000007
【図６】
2008253283.tif 000008
【図７】
2008253283.tif 000009